(57)【特許請求の範囲】
【請求項１】
底板（１１）より前壁（１２）、後壁（１３）、両側壁（１４）を起立させた天面開放の箱体（１）と、これら後壁（１３）又は側壁（１４）の何れかの上端に連設され回動自在とし、天面を覆うようにすると共に、回動端に箱体（１）との係止片（２１）を有した蓋体（２）とからなり、前記箱体（１）の少なくとも一側壁（１４）の下端に連設され回動自在とし、箱体（１）の側壁（１４）の全体を覆う側壁（３１）、箱体（１）の側壁（１４）寄りの蓋体（２）の側端部を覆う上壁（３２）、箱体（１）の側壁（１４）寄りの前壁（１２）の側端部を覆う前側片（３３）、及び箱体（１）の側壁（１４）寄りの後壁（１３）の側端部を覆う後側片（３４）を有した蓋保持体（３）を備えたことを特徴とする包装箱。
【請求項２】
底板（１１）より前壁（１２）、後壁（１３）、両側壁（１４）を起立させた天面開放の箱体（１）と、これら後壁（１３）又は側壁（１４）の何れかの上端に連設され回動自在とし、天面を覆うようにすると共に、回動端に箱体（１）との係止片（２１）を有した蓋体（２）とからなり、前記箱体（１）の前壁（１２）の下端に連設され回動自在とし、箱体（１）の前壁（１２）の全体を覆う前壁（３６）、箱体（１）の前壁（１２）寄りの蓋体（２）の前端部を覆う上壁（３２）、箱体（１）の前壁（１２）寄りの両側壁（１４）の前端部を覆う両側片（３７）を有した蓋保持体（３）を備えたことを特徴とする包装箱。
【請求項３】
前記蓋体（２）に係止突起（２５）を設け、この係止突起（２５）を係止する係止孔（３５）を前記蓋保持体（３）に設けたことを特徴とする請求項１又は２記載の包装箱。
【請求項４】
前記蓋体（２）に係止孔（３５）を設け、この係止孔（３５）に係止する係止突起（２５）を前記蓋保持体（３）に設けたことを特徴とする請求項１又は２記載の包装箱。
【請求項５】
前記蓋体（２）を外蓋板（２３）と内蓋板（２４）との二重蓋にすると共に、前記蓋保持体（３）の上壁（３２）を外上板（３２ａ）と内上板（３２ｂ）との二重壁にして、前記係止突起（２５）を蓋体（２）の内蓋板（２４）に設け、前記係止孔（３５）を蓋保持体（３）の上壁（３２）の内上板（３２ｂ）に設けたことを特徴とする請求項３記載の包装箱。
【請求項６】
前記蓋体（２）を外蓋板（２３）と内蓋板（２４）との二重蓋にすると共に、前記蓋保持体（３）の上壁（３２）を外上板（３２ａ）と内上板（３２ｂ）との二重壁にして、前記係止孔（３５）を蓋体（２）の内蓋板（２４）に設け、前記係止突起（２５）を蓋保持体（３）の上壁（３２）の内上板（３２ｂ）に設けたことを特徴とする請求項４記載の包装箱。
【発明の詳細な説明】
【技術分野】
【０００１】
この発明は、天面開放の箱体と、その天面を覆うようにした蓋体とを備えた包装箱に関するものである。
【背景技術】
【０００２】
従来、この種の包装箱としては、例えば、図１４、１５に示したように、底板４１より前壁４２、後壁４３、両側壁４４を起立させた天面開放の箱体と、これら後壁４３又は側壁４４の何れかの上端に連設され回動自在とし、天面を覆うようにすると共に、回動端に係止片５１を有した蓋体５０とからなるものが存在する。前記箱体は、少なくとも前壁４２を内側板４２ａ、上側板４２ｂ、外側板からなる二重壁構造とし、上側板４２ｂより内側板４２ａに至り前記蓋体５０の係止片５１の幅に相当する間隔の縦方向の二条の切目線４５、４５を形成し、二条の切目線４５、４５に挟まれた部分を上側板４２ｂ及び内側板４２ａより没入させて係止片５１を係止する係止凹部４６を形成してなるものとしている（特許文献１）。
【０００３】
このようにした従来の包装箱は、係止片５１の横幅が縦方向の二条の切目線４５、４５の間隔よりやや大きい場合は、係止片５１は、両側を切口に押圧された状態で、係止凹部４６の中に挿入されるので、蓋閉めが強固となるとしている。
【先行技術文献】
【特許文献】
【０００４】
【特許文献１】特開平１０−２１８１７２号公報
【発明の概要】
【発明が解決しようとする課題】
【０００５】
しかしながら、従来の包装箱では、蓋閉めが強固となるといっても、係止片５１のみを箱体の係止凹部４６に係止させているだけであるので、振動や不用意な力が加わったりすると、蓋体５０が浮き上がったり、蓋体５０が開放してしまうことがあるという課題を有していた。
【０００６】
そこで、この発明は、係止片に加えてさらに蓋保持体を備えることにより、振動や不用意な力が加わったりしても、蓋体が容易に浮き上がったり、蓋体が容易に開放してしまうことのない包装箱を提供することを目的としてなされたものである。
【課題を解決するための手段】
【０００７】
この発明の包装箱は、底板１１より前壁１２、後壁１３、両側壁１４を起立させた天面開放の箱体１と、これら後壁１３又は側壁１４の何れかの上端に連設され回動自在とし、天面を覆うようにすると共に、回動端に箱体１との係止片２１を有した蓋体２とからなり、前記箱体１の少なくとも一側壁１４の下端に連設され回動自在とし、箱体１の側壁１４の全体を覆う側壁３１、箱体１の側壁１４寄りの蓋体２の側端部を覆う上壁３２、箱体１の側壁１４寄りの前壁１２の側端部を覆う前側片３３、及び箱体１の側壁１４寄りの後壁１３の側端部を覆う後側片３４を有した蓋保持体３を備えたものとしている。
【０００８】
さらに、この発明の包装箱は、底板１１より前壁１２、後壁１３、両側壁１４を起立させた天面開放の箱体１と、これら後壁１３又は側壁１４の何れかの上端に連設され回動自在とし、天面を覆うようにすると共に、回動端に箱体１との係止片２１を有した蓋体２とからなり、前記箱体１の前壁１２の下端に連設され回動自在とし、箱体１の前壁１２の全体を覆う前壁３６、箱体１の前壁１２寄りの蓋体２の前端部を覆う上壁３２、箱体１の前壁１２寄りの両側壁１４の前端部を覆う両側片３７を有した蓋保持体３を備えたものとしている。
【０００９】
そして、この発明の包装箱は、前記蓋体２に係止突起２５を設け、この係止突起２５を係止する係止孔３５を前記蓋保持体３に設けたものとしている。
【００１０】
さらに、この発明の包装箱は、前記蓋体２に係止孔３５を設け、この係止孔３５に係止する係止突起２５を前記蓋保持体３に設けたものとしている。
【００１１】
また、この発明の包装箱において、前記蓋体２を外蓋板２３と内蓋板２４との二重蓋にすると共に、前記蓋保持体３の上壁３２を外上板３２ａと内上板３２ｂとの二重壁にして、前記係止突起２５を蓋体２の内蓋板２４に設け、前記係止孔３５を蓋保持体３の上壁３２の内上板３２ｂに設けたものとしている。
【００１２】
さらに、この発明の包装箱において、前記蓋体２を外蓋板２３と内蓋板２４との二重蓋にすると共に、前記蓋保持体３の上壁３２を外上板３２ａと内上板３２ｂとの二重壁にして、前記係止孔３５を蓋体２の内蓋板２４に設け、前記係止突起２５を蓋保持体３の上壁３２の内上板３２ｂに設けたものとしている。
【発明の効果】
【００１３】
この発明の包装箱は、以上に述べたように構成されているので、振動や不用意な力が加わったりしても、蓋体が容易に浮き上がったり、蓋体が容易に開放してしまうことのないものとなる。
【図面の簡単な説明】
【００１４】
【図１】この発明の包装箱の第一実施形態の蓋体を開放した状態の斜視図である。
【図２】図１に示すこの発明の包装箱の箱体の展開図である。
【図３】図１に示すこの発明の包装箱の蓋体の展開図である。
【図４】図１に示すこの発明の包装箱の蓋体を閉鎖しようとしている状態の説明図である。
【図５】図１に示すこの発明の包装箱の閉鎖した蓋体を蓋保持体で保持する前の状態の説明図である。
【図６】図１に示すこの発明の包装箱の閉鎖した蓋体を蓋保持体で保持している状態の説明図である。
【図７】図６中のＡ−Ａによるこの発明の包装箱の断面図である。
【図８】この発明の包装箱の第二実施形態の蓋体を開放した状態の斜視図である。
【図９】図８に示すこの発明の包装箱の閉鎖した蓋体を蓋保持体で保持している状態の説明図である。
【図１０】この発明の包装箱の第三実施形態の閉鎖した蓋体を蓋保持体で保持している状態の説明図である。
【図１１】この発明の包装箱の第四実施形態の蓋体を開放した状態の斜視図である。
【図１２】図１１に示すこの発明の包装箱の閉鎖した蓋体を蓋保持体で保持する前の状態の説明図である。
【図１３】図１１に示すこの発明の包装箱の閉鎖した蓋体を蓋保持体で保持している状態の説明図である。
【図１４】従来の包装箱の蓋体を開放した状態の斜視図である。
【図１５】従来の包装箱の蓋体を閉鎖した状態の斜視図である。
【発明を実施するための形態】
【００１５】
以下、この発明の包装箱の第一実施形態を、図面に基づいて説明する。
【００１６】
この発明の包装箱は、図１に示したように、天面開放の箱体１と蓋体２とからなり、蓋保持体３を備えたものとしている。箱体１は、底板１１より前壁１２、後壁１３、両側壁１４を起立させたものとしている。蓋体２は、箱体１の後壁１３又は側壁１４の何れか（図示したものは後壁１３）の上端に連設され回動自在とし、天面を覆うようにすると共に、回動端に箱体１との係止片２１を有したものとしている。蓋保持体３は、前記箱体１少なくとも一側壁１４（図示したものは一側壁１４のみ）の下端に連設され回動自在とし、箱体１の側壁１４の全体を覆う側壁３１、箱体１の側壁１４寄りの蓋体２の側端部を覆う上壁３２、箱体１の側壁１４寄りの前壁１２の側端部を覆う前側片３３、及び箱体１の側壁１４寄りの後壁１３の側端部を覆う後側片３４を有したものとしている。
【００１７】
さらに、この発明の包装箱は、図１、４に示したように、前記蓋体２に係止突起２５を設け、この係止突起２５を係止する係止孔３５を前記蓋保持体３に設けたものとしている。
【００１８】
また、この発明の包装箱は、図示していないが、前記蓋体２に係止孔３５を設け、この係止孔３５に係止する係止突起２５を前記蓋保持体３に設けたものとしてもよい。
【００１９】
前記箱体１の前壁１２は、図２に示したように、折線を介して底板１１に連設した外前板１２ａと、これに折線を介して連設した上前板１２ｂと、これに折線を介して連設した内前板１２ｃと、これに折線を介して連接した折重ね片１２ｄとからなっており、外前板１２ａと内前板１２ｃとの二重壁にしている。外前板１２ａの一端には、折線を介して折込み片１２ｅが連設され、外前板１２ａと上前板１２ｂの折線上に前記蓋体２の係止片２１を係止するための係止孔１２ｆが設けられている。内前板１２ｃの両端には、折線を介して一対の折込み片１２ｇが連設されている。
【００２０】
前記箱体１の後壁１３は、図２に示したように、折線を介して底板１１に連設した外後板１３ａと、これに折線を介して連設した上後板１３ｂと、これに折線を介して連設した内後板１３ｃと、これに折線を介して連接した折重ね片１３ｄとからなっており、外後板１３ａと内後板１３ｃとの二重壁にしている。外後板１３ａの一端には、折線を介して折込み片１３ｅが連設され、内後板１３ｃの両端には、折線を介して一対の折込み片１３ｇが連設されている。
【００２１】
前記箱体１の一側壁１４は、図２に示したように、折線を介して底板１１に連設した外側板１４ａと、これに折線を介して連設した上側板１４ｂと、これに折線を介して連設した内側板１４ｃと、これに折線を介して連接した折重ね片１４ｄとからなっており、外側板１４ａと内側板１４ｃとの二重壁にしている。外側板１４ａの両端には、折線を介して一対の折込み片１４ｅが連設され、一方の折込み片１４ｅは、前記外前板１２ａの折込み片１２ｅに折線を介して連結され、他方の折込み片１４ｅは、前記外後板１３ａの折込み片１３ｅに折線を介して連結されている。
【００２２】
前記蓋体２は、図３に示したように、箱体１に連設される連結板２２に折線を介して連設した外蓋板２３と、これに折線を介して連設した内蓋板２４とからなっており、外蓋板２３と内蓋板２４との二重蓋にしている。外蓋板２３の一側端には、折線を介して折重ね片２３ａが連設されている。外蓋板２３の他側端近辺には、円弧状の切目を入れ、この切目を立ち上げることによって前記係止突起２５を設け、この切目の円弧を一部とする案内孔２６を設けている。この案内孔２６は、手指を差し込むことにより、切り目を立ち上げ易くするものである。内蓋板２４には、外蓋板２３との折線から略コ字状の切目を内蓋板２４側に入れることによって前記係止片２１を設け、一側端近辺に切目を入れ、この切目を外蓋板２３と内蓋板２４の間に形成される収納小空間Ｓへの差込み口２７としている。そして、前記蓋体２の連結板２２は、箱体１の外後板１３ａ（図示していないが外側板１４ａでもよい）に接着させることにより、蓋体２が箱体１の後壁１３（図示していないが側壁１４でもよい）の上端に回動自在に連設されることになる。なお、前記蓋体２は、図示していないが、箱体１と別体とすることなく、箱体１と一体としたものとして、箱体１の後壁１３や側壁１４の上端に回動自在に連設しておくこともできる。
【００２３】
前記蓋保持体３の側壁３１及び上壁３２は、図２に示したように、折線を介して前記底体１の底板１１に連設した外側板３１ａと、これに折線を介して連設した外上板３２ａと、これに折線を介して連設した内上板３２ｂと、これに折線を介して連設した内側板３１ｂとからなり、側壁３１を外側板３１ａと内側板３１ｂとの二重壁にし、上壁３２を外上板３２ａと内上板３２ｂとの二重壁にしている。外側板３１ａの両端には、折線を介して前記前側片３３と後側片３４が連設され、これらに折線を介してそれぞれ折込み片３３ａ、３４ａが連設されている。外上板３２ａには、折線を介して一対の折込み片３２ｃが連設され、一方の折込み片３２ｃは、前記前側片３３の折込み片３３ａに折線を介して連結され、他方の折込み片３２ｃは、前記後側片３４の折込み片３４ａに折線を介して連結されている。内上板３２ｂには、前記蓋体２の係止突起２５を係止する係止孔３５を設けている。また、この内上板３２ｂには、図示していないが、前記蓋体２の係止突起２５と同様の構造の係止突起２５を設けることもできる。なお、この場合には、前記蓋体２の外蓋板２３に内上板３２ｂの係止孔３５と同様の構造の係止孔３５を設けている。
【００２４】
前記箱体１の他側壁１４は、図２に示したように、前記蓋保持体３の内側板３１ｂに折線を介して連設した外側板１４ａと、これに折線を介して連設した上側板１４ｂと、これに折線を介して連設した内側板１４ｃと、これに折線を介して連接した折重ね片１４ｄとからなっており、外側板１４ａと内側板１４ｃとの二重壁にしている。外側板１４ａの両端には、折線を介して一対の差込み片１４ｆが連設されている。また、前記蓋保持体３を箱体１の両側壁１４の下端にそれぞれ連設したものとする場合には、前記箱体１の一側壁１４も、この他側壁１４と同様の構成にしておけばよい。なお、前記蓋保持体３を箱体１の両側壁１４の下端にそれぞれ連設したものは、図８、９に第二実施形態として、図１０に第三実施例として、それぞれ示した。図１０に示したものは、両蓋保持体３の上壁３２により、蓋体２の全体を覆ったものとしている。
【００２５】
次に、この発明の包装箱の第四実施形態を、図面に基づいて説明する。
【００２６】
この発明の包装箱の第四実施形態のものは、図１１〜１３に示したように、天面開放の箱体１と蓋体２とからなり、蓋保持体３を備えたものとしている。箱体１は、底板１１より前壁１２、後壁１３、両側壁１４を起立させたものとしている。蓋体２は、箱体１の後壁１３又は側壁１４の何れか（図示したものは後壁１３）の上端に連設され回動自在とし、天面を覆うようにすると共に、回動端に箱体１との係止片２１を有したものとしている。蓋保持体３は、前記箱体１の前壁１２の下端に連設され回動自在とし、箱体１の前壁１２の全体を覆う前壁３６、箱体１の前壁１２寄りの蓋体２の前端部を覆う上壁３２、箱体１の前壁１２寄りの両側壁１４の前端部を覆う両側片３７を有したものとしている。
【００２７】
なお、この発明の包装箱の第四実施形態のものは、前記箱体１の前壁１２、後壁１３、側壁１４、蓋体２、及び蓋保持体３の上壁３２などの構成は、第一実施形態のものと同様又は準じた構成にしているので、ここではその説明を省略する。
【００２８】
以上のように構成されたこの発明の包装箱は、第一実施形態のものでは、図１に示した状態から、蓋体２を図４に示したように閉鎖する方向に回動させ、係止片２１を図５に示したように、箱体１の係止孔１２ｆに係止させる。
【００２９】
そして、蓋保持体３を、図５に示した状態から矢印方向に回動させ、図６に示したように、この蓋保持体３で箱体１及び蓋体２の側端部を覆う。すなわち、蓋保持体３の側壁３１で箱体１の側壁１４の全体を覆い、蓋保持体３の上壁３２で箱体１の側壁１４寄りの蓋体２の側端部を覆い、蓋保持体３の前側片３３で箱体１の側壁１４寄りの前壁１２の側端部を覆い、蓋保持体３の後側片３４で箱体１の側壁１４寄りの後壁１３の側端部を覆う。
【００３０】
このようにすれば、この発明の包装箱は、振動や不用意な力が加わったりして、蓋体２の係止片２１が箱体１の係止孔１２ｆから外れようとしても、蓋体２の側端部が、蓋保持体３の上壁３２で覆われているので、蓋体２の係止片２１が箱体１の係止孔１２ｆから外れることはなく、蓋体２が容易に浮き上がったり、蓋体２が容易に開放してしまうことはない。
【００３１】
さらに、この発明の包装箱は、蓋体２の係止突起２５が、蓋保持体３の係止孔３５に係止され、蓋保持体３による箱体１及び蓋体２の側端部を覆っている状態が保持されるので、振動や不用意な力が加わったりしても、蓋体２が容易に浮き上がったり、蓋体２が容易に開放してしまうのを防止することができる。
【００３２】
また、この発明の包装箱は、図８、９に示した第二実施形態のもののように、蓋保持体３を箱体１の両側壁１４の下端にそれぞれ連設したものとすれば、箱体１の両側端部が蓋保持体３で覆われたものになるので、いっそう蓋体２が容易に浮き上がったり、蓋体２が容易に開放してしまうのを防止することができるものとなる。
【００３３】
さらに、この発明の包装箱は、図１０に示した第三実施形態のもののように、蓋保持体３を箱体１の両側壁１４の下端にそれぞれ連設したものとすると共に、両蓋保持体３の上壁３２により、蓋体２の全体を覆ったものとすれば、蓋体２が露出しないものになるので、よりいっそう蓋体２が容易に浮き上がったり、蓋体２が容易に開放してしまうのを防止することができるものとなる。
【００３４】
そして、この発明の包装箱は、第四実施形態のものでも、その説明は省略するが、前記第一実施形態のものに準じた操作により、蓋体２を蓋保持体３により保持しておくことができる。
【００３５】
なお、この発明の包装箱の第四実施形態のものでは、箱体１の係止孔１２ｆに係止させた蓋体２の係止片２１が、蓋保持体３の上壁３２によって覆われることになるので、箱体１の係止孔１２ｆから蓋体２の係止片２１が外れにくくなり、蓋体２がより容易に浮き上がったり、蓋体２がより容易に開放してしまうのを防止することができるものとなる。
【符号の説明】
【００３６】
１  箱体
２  蓋体
３  蓋保持体
１１  底板
１２  前壁
１３  後壁
１４  側壁
２１  係止片
２３  外蓋板
２４  内蓋板
２５  係止突起
３１  側壁
３２  上壁
３２ａ  外上板
３２ｂ  内上板
３３  前側片
３４  後側片
３５  係止孔
３６  前壁
３７  側片
【図１】
0005824745.tif 000002
【図２】
0005824745.tif 000003
【図３】
0005824745.tif 000004
【図４】
0005824745.tif 000005
【図５】
0005824745.tif 000006
【図６】
0005824745.tif 000007
【図７】
0005824745.tif 000008
【図８】
0005824745.tif 000009
【図９】
0005824745.tif 000010
【図１０】
0005824745.tif 000011
【図１１】
0005824745.tif 000012
【図１２】
0005824745.tif 000013
【図１３】
0005824745.tif 000014
【図１４】
0005824745.tif 000015
【図１５】
0005824745.tif 000016